(57)【要約】      （修正有）【課題】何処（屋内外）にでも設置ができ、工具を使用せず、簡単に組立、分解が可能なハンモックスタンドを提供する。【解決手段】組立ての簡素化を図るために部材を少なくし、各部材の結合方法を差込むだけで可能にした。具体的には、ハンモックを吊るす縦支柱１、その支柱を受けるための基体となる横棒４、スタンドの横転を防止するための足部３、人が載った時に支柱が内にたわむのを防止する横棒４の６点から成り立ち、結合方法には、基体となる横棒の両端に受け口を設け、縦支柱をそこに差込む、足部にも受け口を設け、縦支柱と横棒の一体を差し込むだけで各部材が結合されハンモックスタンドが出来上がる。【選択図】図２
0003123433.tif 000002
【実用新案登録請求の範囲】
【請求項１】
ハンモックを吊るす一対の縦支柱とその支柱を支える下部の基体となる横棒、支柱本体を受け横転を防止するための一対の足部、人が載った時、支柱が内方向にたわむのを防止する横棒からなり、各部材を差込むだけで組立てられる。特に各部材の、差込過ぎ、差込不足、またその各部材の離脱を防ぐために支柱の下部にストッパーとなる杭を設けて適正に組立てられる差込式ハンモックスタンド
【考案の詳細な説明】
【技術分野】
【０００１】
本考案は、組立方法をボルト、ナット、その他の金具を一切使用しないで各部材の結合を差込みだけの方法にし容易に組立て分解が可能で、尚且つどこにでも（屋内、屋外）、小スペースでハンモックの使用を可能にしたハンモックスタンドに関するものである
【背景技術】
【０００２】
従来よりハンモックは夏期のレジャに使用され人気のある商品です。しかし、屋内外を問わず、そもそもハンモックを吊るすためには、一対（２箇所）の固定箇所が必要で、ハンモックを使用するのに場所的な制約があり、なかなか何処にでも使用できるものではなかったこのため、近年は携帯型、組立式のハンモックスタンドが用いられるようになった
【考案の開示】
【考案が解決しようとする課題】
【０００３】
近年の携帯型、組立式のハンモックスタンドの問題点は、組立て時に各支柱の接続にボルト、ナットで固定接続するため時間が掛かり、当然、分解するのにも時間が掛かる。またそのための工具が必要であるといった問題点がある。
そのため、本考案は、上記した問題点を解消するために考案されたもので、何処（屋内外）にでも設置ができ、簡単に、短時間で、工具を使用せず組立を可能にしたものである
【課題を解決するための手段】
【０００４】
上記の問題点を解決するために、本考案のハンモックスタンドの構成は、簡素化を図るため6点の部材から構成されている。構成内容は、スタンドの横転を防止するための足部（左右2点）、ハンモックを吊るす縦支柱（左右2点：上部にL金具）、その支柱を受け基体となる横棒（１点）、人が載った時に支柱が内方向にたわむのを防止する横棒（１点）から成り立っている。
さらに、ボルト・ナット類の接続金具を使用しないために、基体となる横棒の両端に差込み口を設け、縦支柱をそこに差込むだけで縦支柱と横棒の接続が可能となるようにしている。足部にも差込み口を設け、縦支柱と横棒の一体を差し込むだけでハンモックスタンドが構成されるようにしている。そしてさらに、両縦支柱の下部に切込みを設けそこに横棒を差込むだけで人が載った時に支柱が内方向にたわむのを防止するようにしている。
ここで、差込みすぎ、またその不足を防止するために、縦支柱には下に切り込みを入れ差し込みすぎの防止を図り、また縦支柱と横棒の一体の足部への差込すぎ、またその不足を図るために縦支柱の下部に差込適正位置を示すためのストッパーの役目をきたす杭を設けている。また同時にストッパーの位置までに支柱が入ることによって、人が載った時に支柱が内方向にたわむのを防止するための横棒の両端が足部の横転防止補強材の内側に入り支柱からの脱落も防止するようにしている。
このようにボルト、ナットを使用せず、そのための工具も使用せず、差し込むだけで組立てが可能で、ハンモックを吊るす支柱の上部のL金具にハンモックを両端に吊るすことによって、ハンモックが固定され少スペースでどこにでも使用できることを可能にする。
【考案の効果】
【０００５】
上述の様に、本考案の差込式組立てハンモックスタンドは、少ない組立部材（6点）で構成し、組み立て、分解も容易にでき、軽量でコンパクトである。すなわちどこにでも持ち運びが可能ある。持運びが可能と言うことはどこにでも屋内外、庭、テラス、ベランダで使用ができ、従来のハンモック気分を何処にでも味わえることが出来る。
【考案を実施するための最良の形態】
【０００６】
以下、図１から図６に基づいて、本考案に係るハンモッククスタンドの最良の形態について説明する。まず、図１はハンモックスタンドを構成する各部材の形状で
1  ハンモックを吊るす支柱（上部にL金具）（2点）
2  支柱を受け下部の其体となる横棒（1点）
3  支柱本体を受け横転を防止するための足部（2点）
4  人が載った時、支柱が内方向にたわむのを防止する横棒（１点）
の6点の部材から構成されている。
図２は図１の各部材を差込みだけによる結合で組立を可能にし本考案を実施するための最良の形態のハンモックスタンドの斜視図である。具体的に組立て手順にそって説明します。まず第１に、図３では、ハンモックを吊るす支柱１を下部の横棒２の受け口に差込むことによって１と２が結合される。２の横棒の受け口にはその口、深さにあわせた切込みを１の支柱下部に設け支柱を差し込んだときに２と一体となるよう形成され、差込過ぎ、差込不足の防止と１が２からの離脱の防止を図っている。また、２の受け口の崩壊を防止するために２aの横転防止補強材を設け、強化ボルトを内臓し強固なものにしている。そして図４は結合された支柱本体を足部３に差し込むことと同時に、４の人が載った時、支柱が内方向にたわむのを防止する４の横棒を支柱にさしこむことによってスタンドが形成される。それが図５であり組み立てられたスタンド下部の斜視図である。
図５をさらに説明します
３の足部と３aの横転防止補強材は一体に形成されており内臓された強化ボルトで結合し足部の強化を図っている。この3aの横転防止補強材は支柱本体の横転防止を図りスタンドの安定性を図る上で大変重要な箇所である。４の横棒は人が載ったとき、その荷重で両支柱の間で内方向のたわみが生じます。そのたわみを防止する上でさらに重要横棒である。支柱下部の１aの差込適正位置を示すストッパーは、支柱基体をそのストッパーまで差し込むことによって３aによる横転防止を図る適正箇所の位置を示し、さらに内方向のたわみを防止するための４の横棒が３aの内側に入るべき位置を同時に示し、内側に入ることによって４の脱落を防止するのをかねている大事なストッパーである。このストッパーに各部材を組み合わせることによってスタンド全体の安定性、安全性を確保している。
図６は支柱の上部のL金具にハンモックを吊るした状態で完成されたハンモックスタンドの斜視図である。この差込式ハンモックスタンドは、図１のように部材も少なく軽量で、分解も簡単で収納スペースもとらず、どこにでも楽しめるハンモックスタンドである。
【図面の簡単な説明】
【０００７】
【図１】ハンモックスタンドを構成する各部材の形状の図である
【図２】本考案を実施するための最良の形態のハンモックスタンドの斜視図である
【図３】１の支柱と２の基体となる横棒の差込みによる結合方法の図である
【図４】支柱と横棒の一体が３の足部に差込みによる結合方法と同時に４の横棒を支柱の受け口に差込みによる結合方法の図である
【図５】各部材が差込みにより結合された状態（完成）を示す下部の図である
【図６】完成されたハンモックスタンドにハンモックを吊るした斜視図である
【符号の説明】
【０００８】
１    ハンモックを吊るす支柱
１ａ  支柱と２の横棒の一体を足部に差込む適正位置を示すストッパー
１ｂ  ハンモックを吊るすためのL金具
２    支柱を受ける横棒
２ａ  支柱を受ける受け口の補強材
３    全体を支える足部
３ａ  支柱本体の横転を防ぐための横転防止補強材
４    人が載った時、支柱が内側にたわむのを防止するための横棒
【図１】
0003123433.tif 000003
【図２】
0003123433.tif 000004
【図３】
0003123433.tif 000005
【図４】
0003123433.tif 000006
【図５】
0003123433.tif 000007
【図６】
0003123433.tif 000008
【手続補正書】
【提出日】平成17年10月6日(2005.10.6)
【手続補正１】
【補正対象書類名】実用新案登録請求の範囲
【補正対象項目名】全文
【補正方法】変更
【補正の内容】
【実用新案登録請求の範囲】
【請求項１】
ハンモックを吊るす一対の縦支柱とその支柱を支える下部の基体となる横棒、支柱本体を受け横転を防止するための一対の足部、人が載った時、支柱が内方向にたわむのを防止する横棒からなり、各部材を差込むだけで組立てられるとともに、特に各部材の差込過ぎ、差込不足、またその各部材の離脱を防ぐために支柱の下部にストッパーとなる杭を設けて適正に組立てられることを特徴とする差込式ハンモックスタンド。